(57)【要約】【課題】本発明は、掲示物を傷めずに掲示板や壁等に貼れることができ、また、構成要素の紛失を防止できる掲示物固定器具を提供する。【解決手段】本発明に係る掲示物固定器具１００は、断面がコの字型をした本体１と、掲示板と面する側の前記本体１が有する第一の部分２と、前記第一の部分と、所定の空間１２だけ隔てて対面する、前記本体１が有する第二の部分３と、前記第一の部分２に配置される第一の固定部材４と、前記第二の部分３を貫通しており、前記第一の部分２と磁力を利用した接合が可能な第二の固定部材５と、前記第二の部分３から前記第二の固定部材５が抜けることを防止する抜け防止手段６，８と、前記第一の部分２に配置されているピン７とを、備えている。【選択図】図２
2013195515.tif 000002
【特許請求の範囲】
【請求項１】
断面がコの字型をした本体（１）と、
掲示板と面する側の前記本体が有する第一の部分（２）と、前記第一の部分と、所定の空間（１２）だけ隔てて対面する、前記本体が有する第二の部分（３）と、
前記第一の部分に配置される第一の固定部材（４）と、
前記第二の部分を貫通しており、前記第一の部分と磁力を利用した接合が可能な第二の固定部材（５）と、
前記第二の部分から前記第二の固定部材が抜けることを防止する抜け防止手段（６、８）と、
前記第一の部分に配置されているピン（７）とを、備える、
ことを特徴とする掲示物固定器具。
【請求項２】
前記抜け防止手段は、
前記第一の部分に対面する側の前記第二の固定部材の先端部に形成される抜け防止具（６）と、
前記第二の部分に設けられる前記抜け防止具が係止される窪み（８）とを有する、
ことを特徴とする請求項１に記載の掲示物固定器具。
【請求項３】
前記ピンは、
前記第一の部分の内部において前記第一の固定部材と一体になっている、
ことを特徴とする請求項1に記載の掲示用固定器具。
【請求項４】
前記本体の外側に存する前記第二の固定部材の先端部に設けられる、つまみ（９）を、さらに備えている、
ことを特徴とする請求項１に記載の掲示用固定器具。
【請求項５】
前記第二の部分は、
第二の固定部材が貫通できる貫通孔（１０）を有しており、
前記第二の固定部材は、
円柱形状であり、
前記貫通孔の径は、
前記第二の固定部材の径と、同じ大きさである
ことを特徴とする請求項１に記載の掲示用固定器具。
【請求項６】
前記つまみの表面上に凸凹を設ける、
ことを特徴とする請求項４に記載の掲示用固定器具。
【請求項７】
前記第一の部分から突出している前記ピンの長さは、
２０ミリ以上である、
ことを特徴とする請求項１に記載の掲示用固定器具。
【請求項８】
前記第一の固定部材及び前記第二の固定部材は、
共に永久磁石である、
ことを特徴とする請求項１に記載の掲示用固定器具。
【請求項９】
前記第一の部分は、
前記ピンと第一固定部材とが配置される窪み（１３）が形成されている、
ことを特徴とする請求項１に記載の掲示用固定器具。
【発明の詳細な説明】
【技術分野】
【０００１】
本発明は、掲示物を傷めずに、当該掲示物を掲示板に固定することができる掲示物固定器具に関するものである。
【背景技術】
【０００２】
従来、掲示物を傷めずに、当該掲示物を掲示板に固定することができる掲示物固定器具として、例えば特許文献１が存在する。特許文献１にはマグネットの端に画鋲を取り付け、別の独立したマグネットとの磁力を利用して、掲示物を掲示板に固定する技術が開示されている。
【先行技術文献】
【特許文献】
【０００３】
【特許文献１】特開平８−１３２７９１号公報
【発明の概要】
【発明が解決しようとする課題】
【０００４】
しかしながら、特許文献１に開示されている技術では、画鋲と一体化してない方のマグネットの紛失が多発するという問題がある。
【０００５】
そこで、本発明は、掲示物固定器具の構成要素の紛失を防止できる掲示物固定器具を提供することを目的とする。
【課題を解決するための手段】
【０００６】
本発明に係る掲示物固定器具は、断面がコの字型をした本体と、掲示板と面する側の前記本体が有する第一の部分と、前記第一の部分と、所定の空間だけ隔てて対面する、前記本体が有する第二の部分と、前記第一の部分に配置される第一の固定部材と、前記第二の部分を貫通しており、前記第一の部分と磁力を利用した接合が可能な第二の固定部材と、前記第二の部分から前記第二の固定部材が抜けることを防止する抜け防止手段と、前記第一の部分に配置されているピンとを、備えている。
【発明の効果】
【０００７】
本発明に係る掲示物固定器具は、第一の部分と第二の部分とを有する、断面がコの字型をした本体および、掲示物を固定する（本体内部において挟む）第一の固定部材と第二の固定部材とを備えている。そして、掲示物の固定の際に、第二の部分から第二の固定部材が抜けることを防止する抜け防止手段を、備えている。
【０００８】
したがって、本体の上記構成および抜け防止手段により、掲示物固定器具の構成要素が紛失することが防止される。
【図面の簡単な説明】
【０００９】
【図１】本発明に係る掲示物固定器具１００の構成を示す平面図である。
【図２】図１のＡ−Ａ断面構成を示す掲示物固定器具１００の断面図である。
【図３】本発明に係る掲示物固定器具１００を正面方向から見た場合の構成を示す正面図である。
【図４】本発明に係る掲示物固定器具１００を正面方向から見た場合の構成を示す正面図である。
【図５】本発明に係る掲示物固定器具１００が掲示物５０を固定している様子を示す正面図である。
【図６】掲示物５０を固定している本発明に係る掲示物固定器具１００の構成を示す斜視図である。
【図７】本体１の構成を示す断面図である。
【図８】実施の形態２に関わる掲示物固定器具１００の要部構成を示す拡大断面図である。
【発明を実施するための形態】
【００１０】
以下、この発明をその実施の形態を示す図面に基づいて具体的に説明する。
【００１１】
＜実施の形態１＞
図１は、本発明に係る掲示物固定器具１００の構成を示す平面図である。また、図２は、図１のＡ−Ａ断面構成を示す掲示物固定器具１００の断面図である。また、図３，４は、本発明に係る掲示物固定器具１００を正面方向から見た場合の構成を示す正面図である。
【００１２】
具体的に、図３は、掲示物５０が固定されているときにおける掲示物固定器具１００の状態を示す正面図であり、図４は、掲示物５０が固定されていないときにおける掲示物固定器具１００の状態を示す正面図である。なお、図３，４では、掲示物５０の図示を省略している。
【００１３】
また、図５は、本発明に係る掲示物固定器具１００が掲示物５０を固定している様子を示す正面図である。また、図６は、掲示物５０を固定している本発明に係る掲示物固定器具１００の構成を示す斜視図である。さらに、図７は、本体１の構成を示す断面図である。
【００１４】
なお、図面簡略化のために、図１では、本体１の構成のみを図示している。また、図２の上方向から視認できない本体１の構成は、図１において点線にて、その輪郭（第三の部分１１の輪郭、窪み８の輪郭）を図示している。
【００１５】
ここで、１例ではあるが、掲示物固定器具１００の全体の大きさは、約数ｃｍ３である。
【００１６】
＜掲示物固定器具の構成＞
図２に示すように、本発明に係る掲示物固定器具１００は、本体１と、第一の固定部材４と、第二の固定部材５と、つまみ９と、ピン７とを、備える。以下、各構成要素１，４，５，７，９の構成を図面に基づいて詳しく説明する。
【００１７】
図１に示すように、本体１の平面視形状（図２の上方向から視認した形状）は、円形である。また、図２、７に示すように、本体１のＡ−Ａ断面形状は、コの字形状を有している。
【００１８】
本体１は、図７に示すように、第一の部分２と第二の部分３と第三の部分１１とから構成されている。第一の部分２と第二の部分３とは、図７に示すように、所定の空間１２を隔てて、対面している。ここで、掲示物固定器具１００を利用して掲示物５０を掲示板に固定するとき、第一の部分２が掲示板と面する。
【００１９】
また、図７に示すように、第一の部分２の一方の端部付近と第二の部分３の一方の端部付近とが、第三の部分１１と接続されている。つまり、第三の部分１１は、第一の部分２の一方の端部付近と第二の部分３の一方の端部付近との間に介在しており、上記した、第一の部分２と第二の部分３と第三の部分１１との接続により、本体１の上記コの字形状の断面形状が作成されている。なお、図７に示すように、第一の部分２の他方の端部付近と第二の部分３の他方の端部付近とには、上記第三の部分１１に対応する部材は存在せず、解放状態となっている。
【００２０】
図２に示すように、第二の固定部材５は円柱形状を有しており、第二の固定部材５の第一の部分２側と面する一方の先端には、抜け防止具６が設けられている。なお、固定部材５は円柱形状でなくても良い。一方、本体１の第二の部分３には、第二の固定部材５が、図２の上下方向に貫通できる貫通孔１０が、形成されている（図１，２，７等参照）。図２に示すように、第二の固定部材５の上述した一方の先端部は、所定の空間１２または第二の部分３内に位置され（つまり、所定の空間１２も本体１の内部に存すると理解されるので、第二の固定部材５の一方の先端部は、本体１の内部に位置され）、第二の固定部材５の他方の先端部は、本体１から上方向に突き出ている（つまり、本体１の外側に位置される）。
【００２１】
さらに、本体１の第二の部分３の所定の空間１２に面する主面には、窪み８が形成されている（図１，２，７等参照）。ここで、窪み８の平面視形状および貫通孔１０の平面視形状は、共に円形である。また、図７に示すように、貫通孔１０と窪み８とは繋がっており、貫通孔１０の図７の左右方向の寸法（平面視したときの貫通孔１０の円形の径）は、窪み８の図７の左右方向の寸法（平面視したときの窪み８の円形の径）よりも小さい。貫通孔１０と当該貫通孔１０に連接される窪み８とにより、第二の部分３の一部における貫通が実現されている。
【００２２】
したがって、上記構成から分かるように、第二の固定部材５を上方向に移動（図３の状態から図４の状態に至る第二の固定部材５の移動方向参照）したとき、第二の固定部材５に配設された抜け防止具６が、第二の部分３に配設された窪み８によって、係止され（図２参照）、第二の固定部材５の更なる上方向の移動を止めることができる。
【００２３】
抜け防止具６と窪み８とにより、抜け防止手段が構成されている。なお、第二の固定部材５が本体１から抜けないようにすることが可能なら、抜け防止手段は、上記以外の構成も採用できる（たとえば、第二の固定部材５の一方の先端以外の何れかの位置に、抜け防止具６が設けられていても良い）。また、窪み８は、抜け防止具６が収納されるために設けたもので、設けなくてもよい。しかし、窪み８を設けたほうが所定の空間１２が広く使え、また美観も優れる。
【００２４】
また、図２の構成例では、円柱形状の第二の固定部材５の径（図２の左右方向）の寸法は、平面視形状が円形である貫通孔１０の径（図２の左右方向）の寸法とは、ほぼ同じである。つまり、貫通孔１０の側面と第二の固定部材５の側面とは接触しており、当該貫通孔１０内を第二の固定部材５が図２の上下方向に移動可能な程度に、貫通孔１０の上記径の寸法よりも、第二の固定部材５の上記径の寸法の方が、若干だけ小さい（両径の寸法は同一である理解できる）。
【００２５】
図２，７から分かるように、第一の部分２の所定の空間１２に面する主面には、窪み１３が形成されており、ピン７の一方の先端部は窪み１３内に配置されている（なお、第二の部分２には、図２，７に示すように、ピン７が挿通される穴１３Ａも形成されている）。窪み１３と当該窪み１３に連接される穴１３Ａとにより、第一の部分２の一部における貫通が実現されている。また、図２に示すように、窪み１３内には、第一の固定部材４も配置されている。ここで、第一の固定部材４の形状は円柱である。なお、第一の固定部材４の形状は円柱でなくても良い。
【００２６】
図２に示すように、窪み１３の所定の空間１２に面する側には、第一の固定部材４が配置されており、窪み１３の底面部には、ピン７の一方の先端部が配置されている。つまり、図２の構成例では、第一の部分２内に、第一の固定部材４およびピンの一方の先端部付近が内蔵されている。
【００２７】
また、図２の構成例では、第二の固定部材４とピン７とは別々の構成部材であるが、第二の固定部材４とピン７とは一体化になっていても良い。なお、第一の固定部材５は、貫通孔１０内を挿通方向に移動可能であるのに対して、第一の固定部材４は、窪み１３内において固着（固定）されている。さらに、ピン７も窪み１３内において、固定されている。
【００２８】
なお、図２に示すように、ピン７の他方の先端部は第一の部分２から下方向に突出しており、当該他方の先端部が、掲示板に突き刺さる。
【００２９】
図２に示すように、第二の固定部材５の他方の先端部には、球状のつまみ９が設けられている。図２に示すように、つまみ９の球の径は、第二の固定部材５の径よりも大きい。なお、つまみ９は第二の固定部材５を上記上下方向に動かしやすいように取り付けたものであって、なくても良い。また、図２の構成例では、つまみ９の形状が球状になっているが、つかみやすい形ならどんな形であっても良い。また、つまみ９の表面は何も加工されていなくても良いが、つかみやすいように、つまみ９の表面部を加工してもよい（たとえば、つまみ９の表面部に凹凸形状を設けても良い）。
【００３０】
また、第一の固定部材４の平面視形状と第二の固定部材５の平面視形状とは、円形状であり、図２から分かるように、第一の固定部材４の上記円形状の径の大きさと、第二の固定部材５の上記円形状の径の大きさとは、それぞれ同じである。また、第一の固定部材４の上記円形状の中心位置と、第二の固定部材５の上記円形状の中心位置とは、平面視したとき一致している。ここで、第二の固定部材５と第一の固定部材４は上記円形状の中心位置と一致していなくても、磁力を利用した第二の固定部材５と第一の固定部材４との接合が可能であれば一致していなくても良い。
【００３１】
上記したように、第一の固定部材４および第二の固定部材５は、磁力を利用した接合が可能である。よって、第一の固定部材４および第二の固定部材５の両方が永久磁石であっても良く、第一の固定部材４および第二の固定部材５のいずれか一方が永久磁石で、他方が永久磁石と磁力による接合が可能な金属であっても良い。
【００３２】
なお、第一の固定部材４と第二の固定部材５は、上記配置位置や上記形状や同じ径でなくても、磁力を利用した結合が上記両部材４，５間で可能なら、配置位置や上記形状や同じ径は上記に限定されなくてもよい。
【００３３】
また、第一の部分２から本体１の外側に突出している、ピン７の長さ（つまり、掲示板に突き刺さる部分のピン７の長さ）は、２０ｍｍ以上であることが、好ましい。
【００３４】
＜掲示物固定器具の使用方法＞
次に、本発明に係る掲示用固定器具１００の使用方法を、図３，４，５，６を用いて説明する。
【００３５】
つまみ９をつかみ、上方向に第二の固定部材５を移動させる。具体的に、抜け防止具６が窪み８により係止されるところまで、第二の固定部材５を上方向に移動させる（図４参照）。図４に示すように、当該第二の固定部材５の移動により、本体１には、掲示物５０を挿入するための所定の空間１２がつくられる。
【００３６】
なお、所定の空間１２に掲示物５０が入るのであれば、抜け防止具６が窪み８により係止される場所まで第二の固定部材５を移動させなくても良い。
【００３７】
次に、掲示物５０を、第一の部分２の第二の部分３と対面する側の面に置く。または、掲示物５０を、所定の空間１２のいずれかに配置される。
【００３８】
次に、つまみ９をつかみ、図３に示すように第一の部分２の所定の空間１２側の面に接する位置まで、第二の固定部材５を下方向に下げる。このとき、第一の固定部材４と第二の固定部材５は磁力が働いて接合され、図５，６に示すように、掲示物５０は、第一の固定部材４と第二の固定部材５とにより挟まれることにより、固定される。
【００３９】
最後に、ピン７の他方の先端部を、壁や掲示板などに刺す。以上により、掲示物固定器具１００を利用して、掲示物５０を壁や掲示板に固定することができる。
【００４０】
なお、上記では掲示物５０を掲示物固定器具１００において固定してから、ピン７を壁や掲示物に刺すと表記したが、ピン７を壁や掲示板に固定したあとに掲示物５０を掲示物固定器具１００において固定しても良い。
【００４１】
以上のように、本発明に係る掲示物固定器具１００では、第一の部分２と第二の部分３は、第三の部分１１との接続により、本体１の断面形状をコの字型にしている。したがって、本体１を構成する構成要素の紛失をなくすことができる。
【００４２】
また、本発明に係る掲示物固定器具１００では、抜け防止手段６，８により、第二の固定部材５が本体１の第二の部分３から完全に抜けてしまうことを防止している。したがって、第二の固定部材５の紛失も防止できる。
【００４３】
また、本発明に係る掲示物固定器具１００では、抜け防止手段は、第二の固定部材５の先端部に形成される抜け防止具６と、第二の部分３に設けられる窪み８とにより、構成されている。
【００４４】
したがって、第二の固定部材５を図２の上方向に引き上げたとき、窪み８において抜け防止具６が係止され、第二の固定部材５の当該引き上げを止めることができる。これに加えて、窪み８において抜け防止具６が係止されている状態において、本体１における所定の空間１２を広く形成することができ（当該係止されている状態において、所定の空間１２内に第二の固定部材５が存在しない）、また美観にも優れる。
【００４５】
また、本発明に係る掲示物固定器具１００では、上述したように、ピン７は、第一の固定部材４と一体になっていてもよい。当該第一の固定部材４とピン７とが一体になることで、当該一体構造物の加工がしやすくなる。
【００４６】
また、本発明に係る掲示物固定器具１００では、第二の固定部材５の先端部にはつまみ９が設けられている。したがって、第二の固定部材５を動かす際にユーザがつまみ９を摘むことができ、第二の固定部材５が動かしやすくなる。
【００４７】
また、本発明に係る掲示物固定器具１００では、貫通孔１０の径は、第二の固定部材５の径と、同じ大きさである。したがって、第二の固定部材５がしっかりと貫通孔１０にはまるので、第二の固定部材５が貫通孔１０内で、図２等の左右方向にグラつくことを防げる。したがって、第二の固定部材５と第一の固定部材４とが確実に接合できる。
【００４８】
また、本発明に係る掲示物固定器具１００では、つまみ９の表面上に凸凹を設けても良い。このような構成により、当該凹凸により、第二の固定部材５を動かす際に、ユーザがつまみ９を摘み損ねることを防止できる（つまり、第二の固定部材５を動かす際に、つまみ９の摘みがすべりにくくなる）。
【００４９】
また、本発明に係る掲示物固定器具１００では、第一の部分２から突出しているピン７の長さは２０ミリ以上である（つまり、掲示板等に突き刺さるピン７の部分の長さが、２０ｍｍ以上である）。これにより、ピン７が掲示板に対して安定して突き刺さる。なお、上記ピン７の掲示板に突き刺さる部分の長さは２０ミリ以上でなくても良いが、掲示物５０を固定した掲示物固定器具１００の安定した掲示板への突き刺さり固定を考慮すると、２０ミリ以上であることが好ましい。
【００５０】
また、本発明に係る掲示板固定器具１００では、第一の固定部材４と第二の固定部材５は共に永久磁石であってよい。当該構成の場合には、第一の固定部材４と第二の固定部材５とによる、強力な接着が可能である。
【００５１】
なお、第一の固定部材４と第二の固定部材５は共に永久磁石であると表記した。しかし、第一の固定部材４と第二の固定部材５とによる掲示物５０の強力な固定が必要でないなら、第一の固定部材４および第二の固定部材５の両方を永久磁石としなくても良い。つまり、第一の固定部材４と第二の固定部材５とにおける、何れか一方を永久磁石として、他方を当該永久磁石との磁力による接合が可能金属（鉄などの（強）磁性体など）としても良い。
【００５２】
また、本発明に係る掲示物固定器具１００では、第一の部分２に第一の固定部材４とピン７の先端部が配置される窪み１３が形成されている。したがって、この窪み１３に第一の固定部材４などが配置されることができ、所定の空間１２を広くつかえ、また、美観である。
【００５３】
＜実施の形態２＞
本実施の形態２では、第二の固定部材の構成が実施の形態１と相違する。他の構成は、両実施の形態において同じである。以下、図８に示す拡大断面図を用いて、本実施の形態２の特徴部について説明する。
【００５４】
図８に示すように、引き出し棒２０は、つまみ９と棒１４とが一体になることにより構成されている。また、つまみ９と棒１４とにより構成される引き出し棒２０の断面形状は、ダンベルの片側のような形となっている。
【００５５】
本実施の形態２における、第二の固定部材５Ａは実施の形態１における第二の固定部材５とほぼ同じ形状をしているが、次の点で両者は相違する。つまり、第二の固定部材５Ａの長さは、実施の形態１の第二の固定部材５より（図２、及び図８）における長さよりも短い。
【００５６】
なお、図８は抜け防止具６が窪み８において係止された状態である。当該係止状態において、第二の固定部材５Ａは、第二の部分３の上面から本体１の外側には突出していない。つまり、当該係止状態において、第二の固定部材５Ａの上面と第二の部分３の上面とは、面一となる。当該面一により、使用状態における掲示物固定器具１００の外観が良くなる。
【００５７】
また、引き出し棒２０における、棒１４の先端部は図８に示すように、第二の固定部材５Ａの中に埋め込まれ、固定されている。これにより、引き出し棒２０を図８における上下方向に移動されることにより、当該引き出し棒２０の移動に伴い第二の固定部材５Ａも当該上下方向に移動する。そして、当該第二の固定部材５Ａの上下移動により、第二の固定部材５Ａと第一の固定部材４とによる、掲示物５０の固定（挟み込み）または挟み込み解除が可能となる。
【００５８】
なお、上記構成ではつまみ９と棒１４とは、一体であり同じ材料であるが、次のような形状であっても良い。例えば、図８における第二の固定部材５Ａと棒１４とが一体構成されており、その一体の構造物に対して、図８の形状になるように、その一体の構造物とは別につまみ９を設けても良い。この場合には、第二の固定部材５Ａと棒１４とが、同じ材料となる。
【符号の説明】
【００５９】
１      本体
２      第一の部分
３      第二の部分
４      第一の固定部材
５      第二の固定部材
６      抜け防止具
７      ピン
８      （第二の部分）の窪み
９      つまみ
１０    貫通孔
１１    第三の部分
１２    所定の空間
１３    （第一の部分）の窪み
２０    引き出し棒
５０    掲示物
１００  掲示物固定器具
５Ａ    第二の固定部材
１３Ａ  穴
【図１】
2013195515.tif 000003
【図７】
2013195515.tif 000004
【図８】
2013195515.tif 000005
【図２】
2013195515.tif 000006
【図３】
2013195515.tif 000007
【図４】
2013195515.tif 000008
【図５】
2013195515.tif 000009
【図６】
2013195515.tif 000010